(57)【要約】【課題】表示されている画像を確認したい装置にそれぞれ表示されている画像を個別に参照する場合に比べて、複数の装置のそれぞれにおいて再生されている画像情報の同一性の確認を容易にする。【解決手段】画像処理装置１０は、画像情報を複数の装置の数に応じて分割した構成要素の各々を各装置に割り当て、各装置において再生されている画像情報について割り当てた構成要素の情報を取得し、各装置から取得した構成要素の情報を統合して画像を生成する。【選択図】図１
2010093572.tif 000002
【特許請求の範囲】
【請求項１】
画像情報を複数の装置の数に応じて分割した構成要素の各々を前記複数の装置にそれぞれ割り当てる割当手段と、
前記複数の装置のそれぞれから当該装置において再生されている画像情報について前記割当手段により割り当てた構成要素の情報を取得する第１の情報取得手段と、
前記第１の情報取得手段により前記複数の装置のそれぞれから取得した構成要素の情報を統合して画像を生成する画像生成手段と、
を含むことを特徴とする画像処理装置。
【請求項２】
前記画像生成手段により生成した画像を表示する表示手段をさらに含む
ことを特徴とする請求項１に記載の画像処理装置。
【請求項３】
複数の画像処理装置を含み、
前記複数の画像処理装置のうち少なくとも１つは、
画像情報を前記複数の画像処理装置の数に応じて分割した構成要素の各々を前記複数の画像処理装置にそれぞれ割り当てる割当手段を含み、
前記複数の情報処理装置はそれぞれ、
画像情報を再生する再生手段と、
前記再生手段により再生されている画像情報について前記割当手段により割り当てられた構成要素の情報を取得する第２の情報取得手段と、を含み、
前記複数の画像処理装置のうち前記少なくとも１つは、
前記複数の画像処理装置のそれぞれに含まれる前記第２の情報取得手段により取得された構成要素の情報を取得する第１の情報取得手段と、
前記第１の情報取得手段により前記複数の画像処理装置のそれぞれから取得した構成要素の情報を統合して画像を生成する画像生成手段とをさらに含む
ことを特徴とする画像処理システム。
【請求項４】
前記再生手段は動画像情報を再生し、
前記割当手段は、前記動画像情報の再生位置を指定し、
前記第２の情報取得手段は、前記指定された再生位置において前記動画像情報に基づき再生される画像情報について前記割当手段により割り当てられた構成要素の情報を取得する
ことを特徴とする請求項３に記載の画像処理システム。
【請求項５】
画像情報を複数の装置の数に応じて分割した構成要素の各々を前記複数の装置にそれぞれ割り当てる割当手段と、
前記複数の装置のそれぞれから当該装置において再生されている画像情報について前記割当手段により割り当てた構成要素の情報を取得する第１の情報取得手段と、
前記複数の装置のそれぞれから取得した構成要素の情報を統合して画像を生成する画像生成手段としてコンピュータを機能させることを特徴とするプログラム。
【発明の詳細な説明】
【技術分野】
【０００１】
本発明は、画像処理装置、画像処理システム、及びプログラムに関する。
【背景技術】
【０００２】
コンピュータ及びネットワークの発達により、別々の場所に居ながらコミュニケーションを可能とする技術が多数実現化されてきている。こうした技術の１つに、複数の装置で共通の情報を画面に表示させながら会議をするというものがある。こうした会議においては、各利用者が同じ画像を参照しながら会話をしないと意思伝達が上手くいかないため、下記の特許文献１では、各利用者の操作端末に表示されている画像をそれぞれ他の利用者の操作端末に送信して、相手の参照している画像が自分の参照している画像と一致しているのか否かを確認する技術を提案しているものがある。
【特許文献１】特開平６−２９６２７８号公報
【発明の開示】
【発明が解決しようとする課題】
【０００３】
表示されている画像を確認したい装置にそれぞれ表示されている画像を個別に参照する場合に比べて、複数の装置のそれぞれにおいて再生されている画像情報の同一性の確認を容易にした画像処理装置、画像処理システム、及びプログラムを提供することにある。
【課題を解決するための手段】
【０００４】
上記目的を達成するために、請求項１に記載の画像処理装置の発明は、画像情報を複数の装置の数に応じて分割した構成要素の各々を前記複数の装置にそれぞれ割り当てる割当手段と、前記複数の装置のそれぞれから当該装置において再生されている画像情報について前記割当手段により割り当てた構成要素の情報を取得する第１の情報取得手段と、前記第１の情報取得手段により前記複数の装置のそれぞれから取得した構成要素の情報を統合して画像を生成する画像生成手段と、を含むことを特徴とする。
【０００５】
また、請求項２に記載の発明は、請求項１に記載の画像処理装置において、前記画像生成手段により生成した画像を表示する表示手段をさらに含むことを特徴とする。
【０００６】
また、請求項３に記載の画像処理システムの発明は、複数の画像処理装置を含み、前記複数の画像処理装置のうち少なくとも１つは、画像情報を前記複数の画像処理装置の数に応じて分割した構成要素の各々を前記複数の画像処理装置にそれぞれ割り当てる割当手段を含み、前記複数の情報処理装置はそれぞれ、画像情報を再生する再生手段と、前記再生手段により再生されている画像情報について前記割当手段により割り当てられた構成要素の情報を取得する第２の情報取得手段と、を含み、前記複数の画像処理装置のうち前記少なくとも１つは、前記複数の画像処理装置のそれぞれに含まれる前記第２の情報取得手段により取得された構成要素の情報を取得する第１の情報取得手段と、前記第１の情報取得手段により前記複数の画像処理装置のそれぞれから取得した構成要素の情報を統合して画像を生成する画像生成手段とをさらに含むことを特徴とする。
【０００７】
また、請求項４に記載の発明は、請求項３に記載の画像処理システムにおいて、前記再生手段は動画像情報を再生し、前記割当手段は、前記動画像情報の再生位置を指定し、前記第２の情報取得手段は、前記指定された再生位置において前記動画像情報に基づき再生される画像情報について前記割当手段により割り当てられた構成要素の情報を取得することを特徴とする。
【０００８】
また、請求項５に記載のプログラムの発明は、画像情報を複数の装置の数に応じて分割した構成要素の各々を前記複数の装置にそれぞれ割り当てる割当手段と、前記複数の装置のそれぞれから当該装置において再生されている画像情報について前記割当手段により割り当てた構成要素の情報を取得する第１の情報取得手段と、前記複数の装置のそれぞれから取得した構成要素の情報を統合して画像を生成する画像生成手段としてコンピュータを機能させることを特徴とする。
【発明の効果】
【０００９】
請求項１に記載の発明によれば、表示されている画像を確認したい装置にそれぞれ表示されている画像を個別に参照する場合に比べて、複数の装置のそれぞれにおいて再生されている画像情報の同一性の確認を容易に実行するための画像を生成することができる。
【００１０】
請求項２に記載の発明によれば、各装置に割り当てた構成要素を統合して生成した画像の表示に基づいて画像情報の同一性が確認される。
【００１１】
請求項３に記載の発明によれば、表示されている画像を確認したい装置にそれぞれ表示されている画像を個別に参照する場合に比べて、複数の装置のそれぞれにおいて再生されている画像情報の同一性の確認が容易となる。
【００１２】
請求項４に記載の発明によれば、表示されている画像を確認したい装置にそれぞれ表示されている画像を個別に参照する場合に比べて、複数の装置において再生されている動画像情報の同一性が確認される。
【００１３】
請求項５に記載の発明によれば、表示されている画像を確認したい装置にそれぞれ表示されている画像を個別に参照する場合に比べて、複数の装置のそれぞれにおいて再生されている画像情報の同一性の確認が容易となるようにコンピュータが機能する。
【発明を実施するための最良の形態】
【００１４】
以下、本発明を実施するための好適な実施の形態（以下、実施形態という）を、図面に従って説明する。
【００１５】
図１は、本実施形態に係る画像処理システム１のシステム構成図である。図１に示されるように、画像処理システム１は、複数の画像処理装置１０（１０−１〜１０−ｎ）を含み、各画像処理装置１０はネットワークを介して相互に通信可能となっている。各画像処理装置１０は、中央処理装置（ＣＰＵ）、記憶装置（メモリ）、ネットワークインターフェース等のハードウェアを備えたコンピュータにより実現されるものである。
【００１６】
図２には、画像処理装置１０の機能ブロック図を示す。本実施形態においては、各画像処理装置１０は同じ構成を有することとする。図２に示されるように、画像処理装置１０は、記憶部１２、表示部１４、音声出力部１６、再生部１８、音声取得部２０、通信部２２、画像構成要素割当部２４、構成要素情報取得部（第１の情報取得手段）２６、及び画像生成部２８を含む。各部の機能は、コンピュータ読み取り可能な情報記憶媒体に格納されたプログラムが、図示しない媒体読取装置を用いてコンピュータシステムたる画像処理装置１０に読み込まれ実行されることで実現されるものとしてよい。なお、プログラムは情報記憶媒体によって画像処理装置１０に供給されることとしてもよいし、インターネット等のデータ通信ネットワークを介して供給されることとしてもよい。
【００１７】
記憶部１２は、半導体メモリや磁気ディスク等の記憶装置を含み構成され、データやプログラムを記憶する。本実施形態では、記憶部１２には、画像を表示するデータ（静止画像データ、動画像データ、スライド等を表示するアプリケーションデータ等）、及び当該データを再生するデータ再生プログラムが記憶される。静止画像データは、ビットマップ形式の画像データとしてもよいし、ＪＰＥＧ等の圧縮形式の画像データとしてもよい。また、動画像データは、ＭＰＥＧ等の形式によるデータとしてよい。アプリケーションデータは、１又は複数のスライドを順次表示するプレゼンテーションプログラムのデータとしてもよいし、表示部１４にイメージを表示させる他のアプリケーションデータとしてもよい。
【００１８】
表示部１４は、ディスプレイを含み構成され、入力されるイメージデータに基づいて画像を表示する。
【００１９】
音声出力部１６は、スピーカを含み構成され、入力される音声データに基づいて音声を出力する。
【００２０】
再生部１８は、記憶部１２に記憶されるデータ再生プログラムに従ってデータを再生する。再生部１８は、例えばデータが静止画像データであれば、その静止画像データに基づいてイメージデータを生成して表示部１４に出力し、データが動画像データであればその動画像データに基づくイメージデータを表示部１４に順次出力すると共に、画像データに同期して記憶される音声データを音声出力部１６に順次出力する。
【００２１】
音声取得部２０は、マイク等の集音装置を含み構成され、画像処理装置１０の利用者から発せられた音声を集音して音声データを取得する。音声取得部２０は、取得した音声データを通信部２２に出力する。
【００２２】
通信部２２は、ネットワークインターフェースを含み、ネットワークインターフェースを介してネットワークに接続し、ネットワークに接続された他の画像処理装置１０とデータ通信を行う。本実施形態では、通信部２２は、音声取得部２０から入力された音声データを他の画像処理装置１０に送信する。また、通信部２２は他の画像処理装置１０から送信された音声データを受信し、受信した音声データを音声出力部１６に出力する。音声出力部１６は通信部２２から入力された音声データに基づいて音声を出力する。
【００２３】
以上の機能により、画像処理装置１０の利用者は、記憶部１２に記憶された画像データ等を表示部１４に表示しながら、他の画像処理装置１０の利用者とネットワークを介して会話を行うものである。この際、利用者間のコミュニケーションに齟齬を来さないように、各利用者は他の利用者の操作する画像処理装置１０の画面に表示されている画像が一致しているか否かの確認を行う。以下、各画像処理装置１０の表示部１４に表示される画像データの同一性を確認する処理について説明する。ここで、同一性の確認処理を開始する画像処理装置１０を主ノードとし、主ノードの要求に応じて処理を実行する画像処理装置１０を従ノードとする。
【００２４】
まず、主ノードの画像処理装置１０に含まれる画像構成要素割当部２４により行われる処理について説明する。画像構成要素割当部２４は、画像情報を同一性確認処理の対象となる画像処理装置１０の台数に応じた構成要素に分割するとともに、分割した画像情報の各構成要素を各画像処理装置１０に割り当てる。すなわち、画像構成要素割当部２４は、１つの画像情報を互いに補い合う複数の要素に分割して、分割した各要素をそれぞれの画像処理装置１０に割り当てる。ここで、要素の数は、主ノード及び従ノードの画像処理装置１０を含む台数としてよい。以下、画像構成要素割当部２４による画像の構成要素の分割・割当方式について第１乃至第４の方式を例示して説明する。
【００２５】
第１の例は、画像情報を色成分に基づいた構成要素に分割し、各色成分を画像処理装置１０にそれぞれ割り当てるという方式である。図３（Ａ）には、同一性確認処理の対象となる画像処理装置１０の台数が３つの場合に、画像情報の赤（Ｒ），緑（Ｇ），青（Ｂ）を各画像処理装置１０に割り当てた割当情報を表す割当情報テーブルを示した。また、図３（Ａ）に示されているように、割当情報テーブルには色成分とともに時刻が格納されており、各画像処理装置１０では、格納された時刻に再生部１８により再生されている画像について、当該時刻に関連づけられた色成分の画像情報を取得する。なお、各画像処理装置１０に割り当てる色成分は固定してもよいし、図３（Ｂ）に示されるように各画像処理装置１０に割り当てる色成分を時間毎に変更しても構わない。
【００２６】
第２の例は、画像情報を画像領域に基づいた構成要素に分割し、各画像領域を画像処理装置１０にそれぞれ割り当てるという方式である。図４には、同一性確認処理の対象となる画像処理装置１０に画像領域を割り当てた割当情報を表す割当情報テーブルを示した。図４に示されるように、同一性確認処理の対象となる画像処理装置１０の台数をＮとした場合に、ノードｉ（ｉ＝１，２，３，・・・，Ｎ）の画像処理装置１０に対して、画像情報の上からＮ・ｊ＋ｉ番目の走査ラインＬ（Ｎ・ｊ＋ｉ）をそれぞれ割り当てることとしてよい。ここで、ｊは０以上の整数である。
【００２７】
また、各画像処理装置１０への画像領域の割り当て方式は、上述した態様に限られず、例えば同一性確認処理の対象となる画像処理装置１０の台数Ｎに対してＮ＝ｐ・ｑとなる数ｐ，ｑを用いて、画像を横にｐ分割、縦にｑ分割してなる各画像領域を画像処理装置１０にそれぞれ割り当てることとしてもよい。また、１つの画像処理装置１０に割り当てる領域が１領域ではなくても構わないことは、明白である。
【００２８】
第３の例は、画像情報を空間周波数成分に基づいた構成要素に分割し、各空間周波数成分を各画像処理装置１０に割り当てるという方式である。図５（Ａ）には、同一性確認処理の対象となる画像処理装置１０に空間周波数成分を割り当てる割当情報テーブルを示した。空間周波数成分の割り当てを行う際には、まず画像情報を空間周波数成分へと変換する。ここで画像情報の空間周波数成分への変換は、例えば画像を３２×３２の画素からなるブロックに分割し、各ブロックをＤＣＴ変換することで行うこととしてよい。本実施形態では、上記ブロックにおいて高周波の空間周波数成分ほど広い領域を割り当てるようにする。具体的には、図５（Ｂ）に示すように、４つの画像処理装置１０に空間周波数成分を割り当てるとすると、ＤＣＴ変換後のブロックに対し、１つ目のノードには１画素の空間周波数成分に対応する領域Ａ、２つ目のノードには３画素の空間周波数成分に対応する領域Ｂ、３つ目のノードには１２画素の空間周波数成分に対応する領域Ｃ、４つ目のノードには１００８画素の空間周波数成分に対応する領域Ｄの画像情報を割り当てることとする。このように高周波の成分ほど広い領域、すなわち広帯域の空間周波数成分を割り当てるのは、高周波の空間周波数成分の画像情報ほど視認しにくいためである。
【００２９】
第４の例は、画像情報を上述した色成分、画像領域、空間周波数成分に含まれる複数の要素を組み合わせてなる構成要素に分割し、各構成要素を画像処理装置１０にそれぞれ割り当てるという方式である。図６には、具体例として色成分の３要素と、空間周波数成分の４要素との組み合わせにより、画像情報を１２の構成要素に分割し、当該分割した構成要素を画像処理装置１０にそれぞれ割り当てた割当情報テーブルを示すものである。なお、要素の組み合わせは上述したものに限らず他の組み合わせを用いることとしてもよいのはもちろんである。
【００３０】
画像構成要素割当部２４により各画像処理装置１０に割り当てられた構成要素の情報を表す割当情報（割当情報テーブル）は、通信部２２により各画像処理装置１０に送信される。そして、各画像処理装置１０は、主ノードの画像処理装置１０から送信された割当情報を受信する。
【００３１】
従ノードの各画像処理装置１０は、受信した割当情報に基づいて、自己の装置に割り当てられた構成要素の情報を取得する。自己に割り当てられた構成要素の情報の取得は、構成要素情報取得部２６に含まれる自己割当要素情報取得部２７（第２の情報取得手段）により行われる。なお、主ノードの画像処理装置１０の自己割当要素情報取得部２７においても、自らに割り当てられた構成要素の情報を取得する。
【００３２】
自己割当要素情報取得部２７は、受信した割当情報に基づいて割り当てられた構成要素を設定し、上記設定した構成要素の情報を再生部１８により再生される画像情報について取得する。例えば、各画像処理装置１０に色成分を割り当てた場合には、ノード１の画像処理装置１０は割当情報に基づいて、再生される画像データをキャプチャするとともに、キャプチャした画像データから赤色（Ｒ）成分の画像情報を抽出して取得する。同様に、ノード２の画像処理装置１０は、再生される画像データから緑色（Ｇ）成分の画像情報を抽出して取得し、ノード３の画像処理装置１０は、青色（Ｂ）成分の画像情報を抽出して取得する。
【００３３】
次に、従ノードの各画像処理装置１０は、自己割当要素情報取得部２７により取得された構成要素の情報を通信部２２により主ノードの画像処理装置１０に送信する。主ノードの画像処理装置１０は、従ノードの各画像処理装置１０から送信された構成要素の情報を受信して取得する。
【００３４】
画像生成部２８は、各画像処理装置１０から受信した構成要素の情報を統合して再生画像を再構成した再構成画像を生成する。例えば、各画像処理装置１０に色成分を割り当てた場合には、自ら抽出した赤色（Ｒ）の画像データと、ノード２から受信した緑色（Ｇ）の画像データと，ノード３から受信した青色（Ｂ）の画像データとを統合して再構成画像を生成する。
【００３５】
表示部１４は、画像生成部２８により生成された再構成画像を表示する。ここで、図７乃至１１には、画像生成部２８により生成される再構成画像の一例を示す。
【００３６】
図７及び図８には、図３に示される割当情報に基づいてノード１乃至３の各画像処理装置１０にそれぞれ割り当てた色成分の画像情報を取得し、取得した画像情報を統合して再構成された再構成画像の一例を示す。図７及び図８の（Ａ）はノード１乃至３の各画像処理装置１０から取得したＲ，Ｇ，Ｂの色成分の画像であり、図７及び図８の（Ｂ）は各色成分の画像情報を統合して再構成した再構成画像である。
【００３７】
図７に示されるように、各画像処理装置１０において再生されている画像が一致している場合には、各色成分を割り当てた後に再構成される再構成画像も元の再生画像と実質的に同じ画像となる。一方で、図８に示されるように、少なくとも１つの画像処理装置１０において再生されている画像が他の画像処理装置１０と異なる場合には、生成される再構成画像と元の再生画像とは同じ画像にならない。
【００３８】
図９及び図１０には、図４に示される割当情報に基づいてノード１乃至４の各画像処理装置１０にそれぞれ割り当てた画像領域の画像情報を取得し、取得した画像情報を再構成して生成された再構成画像の一例を示す。図９及び図１０の（Ａ）は、ノード１乃至４の各画像処理装置１０から取得した画像領域の画像情報であり、図９及び図１０の（Ｂ）は各画像領域の画像情報を再構成した再構成画像である。
【００３９】
図９に示されるように、各画像処理装置１０において再生されている画像が一致している場合には、各画像領域を割り当てた後に再構成される再構成画像も元の再生画像と実質的に同じ画像情報となる。一方で、図１０に示されるように、少なくとも１つの画像処理装置１０において再生されている画像が他の画像処理装置１０と異なる場合には、再構成される再構成画像と再生画像とは同じ画像情報にならない。
【００４０】
図１１には、図５に示される割当情報に基づいてノード１乃至４の各画像処理装置１０にそれぞれ割り当てた空間周波数成分の画像情報を取得し、取得した画像情報を再構成して生成された再構成画像の一例を示す。図１１（Ａ）には全てのノードにおいて再生される画像が一致している場合に生成される再構成画像の一例を示し、図１１（Ｂ）にはノード１が異なる再生画像を表示している場合、図１１（Ｃ）にはノード２が異なる再生画像を表示している場合、図１１（Ｄ）にはノード３が異なる再生画像を表示している場合、図１１（Ｅ）にはノード４が異なる再生画像を表示している場合にそれぞれ生成される再構成画像の一例を示した。
【００４１】
図１１（Ａ）に示されるように、各画像処理装置１０において再生されている画像が一致している場合には、各空間周波数成分を割り当てた後に再構成される再構成画像も元の再生画像と実質的に同じ画像情報となる。一方で、図１１（Ｂ）〜（Ｅ）に示されるように、少なくとも１つの画像処理装置１０において再生されている画像が他の画像処理装置１０と異なる場合には、再構成される再構成画像と再生画像とは同じ画像情報とはならない。以上例示した再構成画像からも明らかなように、各画像処理装置１０から取得した構成要素に基づいて再構成した再構成画像の表示を用いることで、各画像処理装置１０において再生されている画像が一致しているか否かが容易に確認される。
【００４２】
図１２には、画像処理システム１において行われる各画像処理装置１０において再生されている画像の同一性を確認する同一性確認処理のシーケンス図を示す。図１２においては、主ノードを画像処理装置１０−１、従ノードを画像処理装置１０−２とし、画像処理装置１０−１と画像処理装置１０−２間の処理を示しているが、画像処理装置１０−１と他の従ノードの画像処理装置１０−３，１０−ｎ等についても同様の処理が行われる。
【００４３】
まず、主ノードの画像処理装置１０は、利用者から同一性確認処理の要求を受け付けると（Ｓ１０１）、画像情報を、同一性確認処理の対象となる画像処理装置１０の数に応じた構成要素に分割する（Ｓ１０２）。そして、画像処理装置１０は、各画像処理装置１０に分割した各構成要素を割り当てるとともに、当該割り当てを各画像処理装置１０に指定する割当情報を生成する（Ｓ１０３）。主ノードの画像処理装置１０は、生成した割当情報を従ノードの画像処理装置１０に送信する（Ｓ１０４）。
【００４４】
従ノードの画像処理装置１０は、受信した割当情報に基づいて自らに割り当てられた構成要素を設定し、再生している画像情報から上記設定した構成要素の情報を取得する（Ｓ１０５）。そして、従ノードの画像処理装置１０は、抽出した構成要素の情報を主ノードの画像処理装置１０に送信する（Ｓ１０６）。
【００４５】
主ノードの画像処理装置１０は、従ノードの各画像処理装置１０から構成要素の情報を受信すると、受信した構成要素の情報と自ら取得した構成要素の情報とを統合して再構成画像を生成する（Ｓ１０７）。コンピュータが、自らが表示していた比較対象となる画像と生成した再構成画像とを比較し、各画像処理装置１０において表示されている画像が同じものであるか否かを判断することとしてもよいし、再構成画像をユーザが視認することによって画像が同じものであるか否かを判断することとしてもよい。後者の場合には、生成した再構成画像は、表示部１４に表示される（Ｓ１０８）。利用者は表示部１４に表示される再構成画像により、各画像処理装置１０において再生されている画像が一致しているか否かを確認する。
【００４６】
以上説明した本実施形態に係る画像処理システム１では、１つの画像の構成要素を複数の画像処理装置１０にそれぞれ割り当て、その割り当てた構成要素の情報を各画像処理装置１０において再生されている画像について取得し、取得した各構成要素の情報を１つの画像に再構成して表示することで、１つの再構成画像に基づいて各画像処理装置１０の再生画像が一致しているか否かが確認される。こうすることで、複数の装置において再生されている画像情報の同一性を確認することが容易となる。
【００４７】
次に、本発明を各画像処理装置１０において再生される動画画像データの同一性の確認処理について適用した際の処理の一例を説明する。
【００４８】
まず、主ノードの画像処理装置１０は、各画像処理装置１０において再生される動画像データについて同一性確認処理に用いる再生位置を決定する。例えば、再生位置は、各画像処理装置１０により動画像データの再生開始を同期させた場合には、その動画像データの再生開始時点からの時間で指定することとしてよい。主ノードの画像処理装置１０は、静止画像データの場合と同様に、１つの画像情報を複数の構成要素に分割し、当該分割した構成要素を各画像処理装置１０にそれぞれ割り当てる。主ノードの画像処理装置１０は、従ノードの各画像処理装置１０に、再生位置の指定データと、各画像処理装置１０にそれぞれ割り当てた画像の構成要素の情報とを含む割当情報を生成し送信する。
【００４９】
従ノードの各画像処理装置１０は、主ノードの画像処理装置１０から送信された割当情報を受信して、当該受信した割当情報に含まれる情報に従って動画像データについて指定された再生位置の再生画像をキャプチャするとともに、当該キャプチャした画像について割り当てられた構成要素の情報を取得する。そして、従ノードの画像処理装置１０は、取得した構成要素の情報を主ノードの画像処理装置１０に送信する。
【００５０】
主ノードの画像処理装置１０は、再生する動画像データにつき自らに割り当てた構成要素の情報と、従ノードの各画像処理装置１０から受信した構成要素の情報とに基づいて再生画像を再構成した再構成画像を生成する。そして、主ノードの画像処理装置１０は、生成した再構成画像を表示部１４に表示する。利用者は、こうして表示された再構成画像に基づいて、各画像処理装置１０において再生されている画像の同一性を確認する。なお、再生位置の指定は上述した態様に限られず、各画像処理装置１０間で時刻を同期した上で、時刻により指定することとしてもよい。
【００５１】
もちろん、本発明は上記の実施形態に限定されるものではなく、例えば、同一性の確認は主ノードのみならず、従ノードの各画像処理装置１０においても行うこととしてよい。この場合には、主ノードの画像処理装置１０は、構成要素の割り当て時に、主ノードに割り当てられた構成要素の情報について取得した情報を、従ノードの各画像処理装置１０に送信する。そして、従ノードの各画像処理装置１０も割り当てられた構成要素について取得した情報を主ノードのみならず従ノードの他の画像処理装置１０に対しても送信することとする。また、上記の実施形態では、画像の同一性の確認は、利用者により行うこととしたが、構成された再構成画像と、再生している再生画像との差分を取得し、当該差分を利用して画像処理装置１０が画像の同一性を判断することとしても構わない。
【図面の簡単な説明】
【００５２】
【図１】本実施形態に係る画像処理システムのシステム構成図である。
【図２】画像処理装置の機能ブロック図である。
【図３】割当情報テーブルの一例を示す図である。
【図４】割当情報テーブルの一例を示す図である。
【図５】割当情報テーブルの一例を示す図である。
【図６】割当情報テーブルの一例を示す図である。
【図７】再構成画像の一例を示す図である。
【図８】再構成画像の一例を示す図である。
【図９】再構成画像の一例を示す図である。
【図１０】再構成画像の一例を示す図である。
【図１１】再構成画像の一例を示す図である。
【図１２】同一性確認処理のシーケンス図である。
【符号の説明】
【００５３】
１  画像処理システム、１０，１０−１，１０−２，１０−３，１０−ｎ  画像処理装置、１２  記憶部、１４  表示部、１６  音声出力部、１８  再生部、２０  音声取得部、２２  通信部、２４  画像構成要素割当部、２６  構成要素情報取得部、２７  自己割当要素情報取得部、２８  画像生成部。
【図１】
2010093572.tif 000003
【図２】
2010093572.tif 000004
【図３】
2010093572.tif 000005
【図４】
2010093572.tif 000006
【図５】
2010093572.tif 000007
【図６】
2010093572.tif 000008
【図７】
2010093572.tif 000009
【図８】
2010093572.tif 000010
【図９】
2010093572.tif 000011
【図１０】
2010093572.tif 000012
【図１１】
2010093572.tif 000013
【図１２】
2010093572.tif 000014